(57)【要約】媒体に記録される磁化転移のタイミングを調整するために、ディスクドライブ書き込み器前置補償システム（１０、１２）が書き込み電流波形（１４）を媒体（１２）に磁気的に記録されたデータビットのパターンに基づいて変調する。
2005522808.tif 000002
【特許請求の範囲】
【請求項１】
複数のデータビットを媒体に磁気的に記録する方法であって、
該複数のデータビットを媒体に記録するために書き込みヘッドを介した方向に書き込み電流波形を生成するステップ、及び
該データビットが記録されたパターンに基づいて該書き込み電流波形を変調するステップ
を含む方法。
【請求項２】
請求項１に記載の方法において、該データビットが記録されたパターンに基づいて該書き込み電流波形を変調するステップが、
該媒体に記録されている現在のデータビットの状態を判別するステップ、
該媒体に以前に記録された少なくとも１つのデータビットの状態を判別するステップ、及び
該媒体に記録されている該現在のデータビットの状態、及び該媒体に以前に記録された該少なくとも１つのデータビットの状態に基づいて、該書き込み電流波形の形状を調整するステップ
を含むことを特徴とする方法。
【請求項３】
請求項２に記載の方法において、該書き込み電流波形を生成するステップが書き込みドライバ回路によって行われ、該電流波形の形状を調整するステップが該書き込みドライバ回路の使用電圧を調整するステップを含むことを特徴とする方法。
【請求項４】
請求項３に記載の方法において、該書き込みドライバ回路の該使用電圧が、記録されている該現在のデータビットの状態が磁化転移に対応する時に調整されることを特徴とする方法。
【請求項５】
請求項２に記載の方法において、該媒体に記録されている該現在のデータビットの状態を判別するステップ、及び該媒体に以前に記録された少なくとも１つのデータビットの状態を判別するステップが、
複数のシフトレジスタ要素からなるシフトレジスタでデータ入力ストリームを受信するステップ、及び
該媒体に記録されている該現在のデータビットの該状態及び該媒体に以前に記録された少なくとも１つのデータビットの状態を該複数のシフトレジスタ要素から出力するステップ
を含むことを特徴とする方法。
【請求項６】
請求項５に記載の方法であって、さらに、該現在のデータビットの記録を遅らせて該シフトレジスタ要素の待ち時間を確保するステップを含む方法。
【請求項７】
請求項２に記載の方法であって、さらに、
該媒体に以降に記録される少なくとも１つのデータビットの状態を判別するステップを含み、
該書き込み電流波形の形状が、該媒体に記録されている該現在のデータビットの状態、該媒体に以前に記録された少なくとも１つのデータビットの状態、及び該媒体に以降に記録される少なくとも１つのデータビットの状態に基づいて調整される方法。
【請求項８】
複数のデータビットを媒体に磁気的に記録する書き込み制御回路であって、
該複数のデータビットを媒体に記録するために書き込みヘッドを介した方向に書き込み電流波形を生成するように動作する書き込みドライバ、及び
該書き込みドライバの動作に影響を与えるように該書き込みドライバに作用上結合されてデータビットが記録された該パターンに基づいて該書き込み電流波形を選択的に変調する電圧制御回路
を含む書き込み制御回路。
【請求項９】
請求項８に記載の書き込み制御回路において、該電圧制御回路が、
データビットが記録された該パターンに基づいて該書き込みドライバが使用電圧を調整するために動作するマルチプレクス回路
を含むことを特徴とする書き込み制御回路。
【請求項１０】
請求項９に記載の書き込み制御回路において、該マルチプレクス回路が、
データビットが記録された該パターンに基づいて制御電圧値を選択する第１のマルチプレクサ、及び
記録されている現在のデータビットの状態に基づいて、該第１のマルチプレクサによって選択された該制御電圧値か標準電圧値かを選択する第２のマルチプレクサであって、該第２のマルチプレクサの出力が該書き込みドライバに接続される第２のマルチプレクサ
を含むことを特徴とする書き込み制御回路。
【請求項１１】
請求項９に記載の書き込み制御回路において、該制御電圧値が、該書き込みドライバの使用電圧に対して反比例することを特徴とする書き込み制御回路。
【請求項１２】
請求項９に記載の書き込み制御回路において、該電圧制御回路が、
該媒体に記録された該現在のデータビットの状態、及び該媒体に以前に記録された少なくとも１つのデータビットの状態を判別する該マルチプレクス回路に動作上接続されたシフトレジスタ
を含むことを特徴とする書き込み制御回路。
【請求項１３】
請求項１２に記載の書き込み制御回路において、該マルチプレクス回路が、記録されている現在のデータビットの状態が磁化転移に対応する時に該書き込みドライバの該使用電圧を調整するように動作することを特徴とする書き込み制御回路。
【請求項１４】
請求項１２に記載の書き込み制御回路において、該電圧制御回路が、
該書き込みドライバ回路に動作上結合されて該シフトレジスタ回路の待ち時間を確保する遅延回路
を含むことを特徴とする書き込み制御回路。
【請求項１５】
請求項８に記載の書き込み制御回路において、該書き込みドライバ及び該電圧制御回路が集積回路（ＩＣ）に組み込まれたことを特徴とする書き込み制御回路。
【発明の詳細な説明】
【技術分野】
【０００１】
本発明は、ディスク等の媒体に書き込まれる磁化転移の前置補償に関連し、より詳しくは、高いデータレートの磁気書き込みシステムにおけるタイミングの不規則性を補償するために書き込みドライバに生成された書き込み電流波形形状を調整する装置及び方法に関する。
【背景技術】
【０００２】
ディスクドライブのような磁気データ記録システムにおいて、データは一連の磁化転移として媒体（即ち、磁気ディスク）上に記録される。多くの標準的システムにおいて、ビットセル時間の整数倍かその付近で起こる磁化転移が２進の「１」を示す一方、その同じ時間での磁化転移がなければ２進の「０」を示す。通常、磁界は媒体に隣接する書き込みヘッドを通る電流によって作られ、媒体上に磁気的に記録されるのに磁界が充分な強さを持つ領域を画定する「ライトバブル」を作る。磁化転移は書き込みヘッドを通る電流を反転することで作られる。
【０００３】
書き込みヘッドを通る電流を反転するプロセスには、よく、ヘッドに用いられる書き込みドライバの「立ち上がり時間」と言われる有限の時間が必要となる。ヘッド領域で作られた「ライトバブル」は、電流がゼロに減少するにつれそれに応じて縮小し、電流が安定状態の値に向けて反対の方向に増加するにつれ拡大する。ライトバブルが安定状態の寸法付近にまでなるのに要する時間はヘッドの「線束立ち上がり時間」と言われる。
【０００４】
高性能ディスクドライブシステムにおいて、記録されるデータが２以上の連続する磁化転移を要する場合、データ記録レートはライトバブルがその安定状態の寸法にまで拡張できないほど速くなり得る。（充分に成長することができるライトバブルの場合と比べると）ライトバブルの尚早な縮小によって（ライトバブルの拡張速度が媒体の線形速度に等しいとき、ライトバブルのエッジの軌跡の位置で画定される）磁化転移位置が転移エッジの理想位置からいくらかの非線形な量だけ外れることになる。この現象は磁化転移パターンにおける限界立ち上がり時間である「非線形転移シフト」（ＮＬＴＳ）として知られるものである。また、ディスクドライブシステムの磁化転移パターンにおけるＮＬＴＳは、現在の転移を形成する磁界と直前の消磁界との相互作用によって、及び、直前の転移から書き込み電流波形が到達した部分での異なる相対位置から始まる書き込み電流方向の変化によって引き起こされる。これら転移シフトはディスクからのデータ読み取りにおいてエラーを潜在的に引き起こし、ディスクドライブのデータ記録レートを、転移シフトの発生規模及び頻度がディスクからの正確なデータ回復を確実にするのに充分に低いようなレベルにまで事実上制限する。
【０００５】
従来技術においては、転移シフトは前置補償として知られるプロセスの処理範囲とされてきた。前置補償システムはデータビットのパターンを吟味してそのパターンによってＮＬＴＳが起きるか否かを判別し、磁化転移のタイミングを調整して転移シフトを補償する。前置補償は直前のデータビットパターンを吟味する「look behind」として知られる前置補償、又は記録されるべき先のデータビットパターンを吟味する「look ahead」として知られる前置補償によって達成される。これらはC. Elliott, J. Leighton, D. Galaba, T. Adams 及びS. Dohertyによる２００１年４月３０日出願の米国特許出願番号０９／８４５，３６５「Look Ahead Write Precompensation」に詳細に記載されている。
【０００６】
上述のような前置補償システムは、通常、記録される磁化転移のタイミングを調整するためにプログラマブル遅延器を用いる。しかしながら、転移タイミングを調整するために遅延器を使用することによって、ある実例では転移間の時間が２５％も短縮されてしまう。ビットセル時間におけるこの短縮のために書き込みドライバはより短い時間しか安定状態を維持できず、これは書き込みドライバに重い負荷を課すことになる。遅延器を用いずに磁化転移のタイミングを調整するための前置補償システムを、制御された方法により書き込み電流波形を修正すること等によって提供することは、従来技術に対する改良点となると考えられている。そのようなシステムが本発明の主題となる。
【発明の開示】
【課題を解決するための手段】
【０００７】
本発明は、媒体に記録される磁化転移のタイミングを調整するために、媒体に磁気的に記録されたデータビットのパターンに基づいて書き込み電流波形を変調するディスクドライブ書き込み器前置補償システムである。
【発明を実施するための最良の形態】
【０００８】
図１は、ディスク１２に情報を磁気的に記録するための書き込みヘッド１０によって作られた「ライトバブル」を示す図である。書き込みヘッド１０は公知の技術によって構成され、適切な書き込みドライバ回路１３で動作され、ディスク１２に記録するための２進データ信号に応答して第１及び第２の反対の極性の磁界を生成する。当業者によく知られたデータ符号化手法はノンリターントゥゼロ反転（ＮＲＴＩ）符号化手法であり、この手法においてディスク上に記録された磁化転移は２進の「１」を示し、ディスク上に磁化転移がないことは２進の「０」を示す。
【０００９】
書き込みヘッド１０によって生成された磁界は「ライトバブル」の形態をとり、これは、書き込みヘッド１０で生成される磁界がディスク１２に磁気的に記録するのに充分強い領域として画定されるものである。有限の「線束立ち上がり時間」が書き込みヘッド１０に関連して存在し、これはディスク１２へ磁化転移を記録せよという書き込みドライバ１３からの命令に応答してライトバブルが拡張する時間である。図１はライトバブル１４が拡張中である第１の時間におけるライトバブル１４を（破線で）図示するものであり、ディスク１２上で横軸エッジ１６ａ及び１６ｂにまで拡がる。また、同図は第１の時間よりも遅い第２の時間におけるライトバブル２４を示し、ディスク１２上で横軸エッジ２６ａ及び２６ｂにまで拡がる。ディスク１２上の所与の点が書き込みヘッド１０をＶmediumと符号付けされた矢印で示される方向及び速度で通り過ぎて移動する。ディスク１２上に示される矢印は、書き込みヘッド１０によって生成される磁界によって記録されるディスクの磁化方向を示す。
【００１０】
ライトバブルの大きさが増大するにつれ、ライトバブルが徐々に拡張する速度（Ｖｗｂ）は減少する。ディスク１２の磁化転移の位置は、ライトバブルの拡張速度がディスクの速度（Ｖmedium）と等しくなった時にライトバブル（Ｖｗｂ）の軌跡のエッジで画定される。この原理は（１）Ｖｗｂ＞Ｖmedium、（２）Ｖｗｂ＝Ｖmedium、及び（３）Ｖｗｂ＜Ｖmediumの３つの場合を検討することで漏れなく説明できる。各場合に対して、ディスク１２上の点の移動は第１の時間（ライトバブル１４）と第２の時間（ライトバブル２４への拡張）の間で判別される。第１の時間において、その点は位置２８に位置しライトバブル１４の横軸エッジ１６ａと並ぶ。従って、その点は転移によって書き込まれた最遠点を第１の時間において画定する。ライトバブルが第２の時間におけるライトバブル２４まで拡張するにつれ、その点は図１の左に移動する。
【００１１】
Ｖｗｂ＞Ｖmediumの場合、その点は（ライトバブルがライトバブル２４にまで拡張する）第２の時間において位置３０までしか移動しない。ライトバブル２４は位置３０よりも遠い横軸エッジ２６ａまで拡がるので、ライトバブルは横軸エッジ２６ａに新しい転移位置を画定する。従って、転移位置は、Ｖｗｂ＞Ｖmediumである限り連続的に再画定される。
【００１２】
Ｖｗｂ＝Ｖmediumの場合、その点は、（ライトバブルがライトバブル２４にまで拡張する）第２の時間において位置３２まで移動する。位置３２はライトバブル２４の横軸エッジ２６ａと並ぶ。その点は、第１の時間及び第２の時間の両方において画定される転移位置（ライトバブルの横軸エッジ）を示す。従って、転移位置はＶｗｂ＝Ｖmediumのときに画定される。
【００１３】
Ｖｗｂ＜Ｖmediumの場合、その点は（ライトバブルがライトバブル２４にまで拡張する）第２の時間において位置３４まで移動する。位置３４はライトバブルの横軸エッジ２６ａよりも遠く、ライトバブル２４内にないのでその磁化はヘッドの磁界によっては変化しない。従って、転移位置はＶｗｂ＜Ｖmediumのとき影響を受けない。
【００１４】
図２は、ライトバブルの拡張速度の変化が磁化転移の位置に与える影響を示すグラフである。グラフの横軸は時間を表し、縦軸はディスク上の点の位置を示す。線４０は一定速度（Ｖmedium）のディスクに対する書き込みヘッドの動きを示す。曲線４２は書き込みドライバによって生成される第１の書き込み電流波形に応答するライトバブルの拡張を示し、曲線４４は書き込みドライバによって生成される第２の書き込み電流波形に応答するライトバブルの拡張を示す。時間Ｔ０は書き込み電流が書き込みヘッドを通じて方向を転換し始める時間である。Ｔ１は書き込み電流がゼロに到達する時間である。Ｔ２はライトバブルが初めてディスク上に形成し始める時間である。
【００１５】
図２に示すように、ライトバブルの例示的拡張速度は曲線４２に対する時間Ｔ３、点Ｐ３、及び曲線４４に対する時間Ｔ４、点Ｐ４においてＶmediumに等しい。図１に関して上記で説明したように、ディスク上の磁化転移の位置はライトバブルの拡張速度がＶmediumに等しい場合にその点によって画定される。従って、曲線４２のライトバブルの拡張プロファイルによって点Ｐ３における磁化転移位置が決まり、曲線４４のライトバブルの拡張プロファイルによって点Ｐ４における磁化転移位置が決まる。従って、ライトバブルの拡張プロファイルを変化させることによって、それは書き込みドライバによって生成される書き込み電流波形を修正することによって達成できるものであるが、ディスク上に記録される磁化転移の位置を選択的に制御できることが分かる。
【００１６】
大幅に、かつ、選択的に書き込み電流波形を修正するにはいくつかの方法がある。それらの方法の中には、前置ドライバ回路において書き込み電流波形の形状を変調すること、書き込み電流のオーバーシュートドライブ時間を変調すること、及び書き込みヘッドセルの使用電圧を変調することを含むものがある。これらいずれの又は他の方法を用いて、書き込み電流波形変調を効果的に実施して本発明による磁化転移タイミング変動を前置補償することができる。開示を完成する目的で、書き込みヘッドセルの使用電圧を変調できるようにするための代表的実施例が下記に詳しく記載される。
【００１７】
図３は、本発明の代表的実施例による前置補償システムにおける書き込みヘッドセルの使用電圧の選択的変調のための書き込み制御回路５０のブロック図である。ＮＲＴＩデータ入力ストリームが経路５２上の書き込み制御回路５０によって受信され、シフトレジスタ要素５４に入力される。ＮＲＴＩデータストリームは、一連のハイ及びロー論理レベルにおけるそれぞれ２進の１と０であり、当業者には一般に知られているものである。従って、シフトレジスタ要素５４は、直ちに記録されるべきデータビットに対応する電流状態を有し、Ｄ[n]で表される。シフトレジスタ５４の出力はシフトレジスタ要素５６に入力され、書き込みクロック５５によってクロック化されデータ入力ストリームを１クロック周期分負方向（時間において早く）にシフトするように構成される。従って、シフトレジスタ要素５６の出力は１クロック周期分早く記録されたデータビットに対応する電流状態を示し、Ｄ[n-1]で表される。シフトレジスタ要素５６の出力はシフトレジスタ要素５８に入力され、書き込みクロック５５によってクロック化されデータ入力ストリームを追加された１クロック周期分負方向に（時間において早く）シフトするように構成される。従って、シフトレジスタ要素５８の出力は２クロック周期分早く記録されたデータビットに対応する電流状態を示し、Ｄ[n-2]で表される。従って、シフトレジスタ５４、５６及び５８は３ビットシフトレジスタを構成する。
【００１８】
代表的実施例において、書き込み制御回路５０の電圧制御部６０はデータ入力（Ｄａｔ）、許可入力（Ｅｎａ）及びクロック入力（Ｃｌｋ）を有する直列制御回路６２を含む。直列制御回路６２は４つの独立した８ビット信号をラッチ６４を介して出力してデジタル／アナログ変換器（ＤＡＣｓ）６６を制御する。ＤＡＣｓ６６の数はシステムによって与えられる前置補償変数の数によって決まる。例えば、図３に示す代表的実施例は４つの可能な電圧を書き込みドライバに供給し、出力ｓ０、ｓ１、ｓ２及びｓ３を供給する４つのＤＡＣｓ６６を必要とする。ＤＡＣｓ６６の出力はアナログマルチプレクサ６８に入力され、データビットＤ[n-1]及び Ｄ[n-2]の状態に基づいて電圧出力を選択するためにシフトレジスタ要素５６及び５８の出力によって制御される。
【００１９】
書き込みクロック５５は固定遅延回路７０に入力され、シフトレジスタ要素５４のＤ[n]出力は固定遅延回路７２に入力される。固定遅延回路７０及び７２の出力はＡＮＤゲート７４に入力され、これによって出力がフリップフロップ７６のクロック入力に接続される。フリップフロップ７６は、そのＱ出力及びそのＱ´出力は出力段７８に接続され、そのＱ出力がそのＤ出力に接続されたトグルＤ型フリップフロップである。従って、出力段７８によって書き込みドライバ１３に供給された差動信号は、書き込みドライバ１３を制御して書き込みヘッドが選択的にディスク上で磁化転移を記録するように動作させるために、ＰＥＣＬ（Positive Emitter Coupled Logic）のような適切な形態にある。
【００２０】
ディスク上に記録される磁化転移のタイミングを調整するために書き込みドライバ１３の使用電圧が制御される。アナログマルチプレクサ６８の出力は固定遅延８０及びプログラマブル遅延８２を介してアナログマルチプレクサ８４に送られる。シフトレジスタ要素５４のＤ[n]出力はプログラマブル遅延８６及び固定遅延８８を介してアナログマルチプレクサ８４に送られるので、現在のデータビット（Ｄ[n]）が転移時でない時は標準電圧が選択され、一方、現在のデータビット（Ｄ[n]）が転移時の時はアナログマルチプレクサ６８によって供給される電圧が選択される。アナログマルチプレクサ８４の出力は制御電圧Ｖcontrolとして書き込みドライバ１３に供給され、これにより書き込みドライバ１３の電流スイッチ回路で使用されるレール(rail)電圧が修正される。図３に示す代表的実施例において、当業者なら使用電圧を変調するために制御パラメータと使用電圧とのいかなる関係をも用いることができることは認識できることであるが、ここでは、Ｖcontrolは書き込みドライバ１３の使用電圧に対して反比例する。書き込みドライバ１３の使用電圧の選択的変調は制御された方法においてディスクに記録される磁化転移のタイミングに影響を与える。
【００２１】
図３に示す例は、直前に記録されたデータビットの状態にのみ基づいて制御電圧（及び結果的には書き込みドライバの使用電圧）を選択するが、選択は、シフトレジスタを拡張及び／又は調整することによって、及び後述の米国出願番号０９／８４５，３６５の教示を実行することによって以降に記録されるデータビットの状態を考慮に入れてなされてもよいことは当業者には理解されて然るべきである。なお、該出願はここに参照によって取り込まれている。
【００２２】
図４は、例示的ＮＲＺＩデータパターン（１は転移を表している）、及び書き込みドライバへ供給する制御電圧値（Ｖcontrol）であって書き込み電流波形を変調して転移の非線形性を補償するために選択される電圧値を示すグラフである。１つの代表的実施例では、制御電圧は表１に示す基準に従って選択される。
【表１】
2005522808.tif 000003
【００２３】
図４及び表１から分かるように、（標準値からの制御電圧調整を介した）書き込み電流波形変調は転移が記録されようとする時に起こり、制御電圧調整量は直前の２つのデータビットが転移であったか否かに依存している。
【００２４】
図５〜８は、図４に用いられる代表的ＮＲＺＩデータパターンにおける特定の転移に対して制御電圧を変化させたシミュレーションを示すグラフである。図５〜８において示すシミュレーションの結果は制御電圧の変化が書き込み電流波形上に及ぼす効果を示している。
【００２５】
図５は例示的ＮＲＺＩデータパターンのビット各々に対する制御電圧（Ｖcontrol）の値を示すグラフである。シミュレーションは、他の転移が後方にある転移（１０番目の転移）に対して、及び他の転移が前後両方にある転移（１５番目の転移）に対して制御電圧を変化させることによる効果を示すために行われたものである。従って、制御電圧は１０番目の転移及び１５番目の転移以外の全てのビットに対して一定値２.０に維持された。なお、制御電圧０.０、１.０、２.０、３.０、４.０、５.０、６.０及び７.０はシミュレーションの実行ごとに選択された。シミュレーションで用いられた代表的実施例の場合、制御電圧の増加によって書き込みドライバの使用電圧は減少し、制御電圧の減少によって書き込みドライバの使用電圧は増加した。
【００２６】
図６は例示的ＮＲＺＩデータパターンを記録するために書き込みドライバによって生成された書き込み電流波形を示すグラフである。また、グラフは転移の実際の記録のタイミングを示している。１０番目及び１５番目の転移に関して、それらの転移付近で制御電圧を変化させて複数のシミュレーションを行ったことによって、書き込み電流波形は曲線の系列を持ち、実際の１０番目及び１５番目の転移の記録のタイミングは制御電圧の変化に起因してより広い幅を持つものとなる。
【００２７】
図７は１０番目付近の書き込み電流波形の曲線の系列をより詳細に示すグラフである。曲線９０は最も高いピーク値を持ち、（書き込みドライバに対して最も高い使用電圧を与える）制御電圧０.０に対応する。制御電圧が０.０のとき、磁化転移は線９２において記録され、これは書き込み電流波形曲線の系列中で最も早い転移である。曲線９４は最も低いピーク値を持ち、（書き込みドライバに対して最も低い使用電圧を与える）制御電圧７.０に対応する。制御電圧が７.０のとき、磁化転移は線９６において記録され、これは書き込み電流波形曲線の系列中で最も遅い転移である。従って、図７は、（代表的実施例において、より低い値の制御電圧によってもたらされる）書き込みドライバのより高い使用電圧によって、磁化転移がより早く記録され、（より高い値の制御電圧によってもたらされる）書き込みドライバのより低い使用電圧によって、磁化転移がより遅く記録されることを示している。
【００２８】
１０番目の磁化転移の後に直ちに他の（１１番目の）転移が続く。図７に示すように、書き込み電流波形はその（標準制御電圧２.０での）標準形状に戻ろうとするため、１１番目の転移においても書き込み電流波形曲線にはまだ系列が存在する。それゆえ、１１番目の転移のタイミングも線９８と９９間の時間幅において書き込まれ、１０番目の転移に対して選択された制御電圧に依存する。１２番目の転移までに書き込み電流波形の変動は安定化するので転移のタイミングはほぼ一致したものとなる。
【００２９】
図８は１５番目付近の書き込み電流波形の曲線の系列をより詳細に示すグラフである。曲線１００は最も大きい（負方向に最大の）ピーク値を持ち、（書き込みドライバに対して最も高い使用電圧を与える）制御電圧０.０に対応する。制御電圧が０.０のとき、磁化転移は線１０２において記録され、これは書き込み電流波形曲線の系列中で最も早い転移である。曲線１０４は最も小さい（負方向に最小の）ピーク値を持ち、（書き込みドライバに対して最も低い使用電圧を与える）制御電圧７.０に対応する。制御電圧が７.０のとき、磁化転移は線１０６において記録され、これは書き込み電流波形曲線の系列中で最も遅い転移である。従って、図８は（図７のように）、（代表的実施例において、より低い値の制御電圧によってもたらされる）書き込みドライバのより高い使用電圧によって、磁化転移がより早く記録され、（より高い値の制御電圧によってもたらされる）書き込みドライバのより低い使用電圧によって、磁化転移がより遅く記録されることを示している。
【００３０】
１５番目の磁化転移の後に直ちに他の（１６番目の）転移が続く。図８に示すように、書き込み電流波形はその（標準制御電圧２.０での）標準形状に戻ろうとするため、１６番目の転移においても書き込み電流波形曲線にはまだ系列が存在する。それゆえ、１６番目の転移のタイミングも線１１０と１１２間の時間幅において書き込まれ、１５番目の転移に対して選択された制御電圧に依存する。
【００３１】
以上の説明は、書き込みドライバによって記録される磁化転移のタイミングが、代表的実施例において書き込みドライバの使用電圧を制御したように、書き込みドライバによって生成される書き込み電流波形を変調することにより調整できることを示すものである。本発明によると、書き込み電流波形を特定のデータパターンによって起こるタイミングの不規則性を補償するように変調することで磁化転移のタイミングが調整される。以前に記録され及び／又は以降に記録されるデータビットの値が書き込み電流波形の変調において考慮される。結果として、特定の書き込みドライバに対して達成できるデータレートが改善される。
【００３２】
上記の本発明の回路の実現例は例示的性質のものである。当業者には、公知の回路要素による変更された他の構成も本発明のタイミング調整を達成するために用いられることは理解できるはずである。そのような構成は本発明の範疇のものである。
【００３３】
本発明が好適な実施例を参照して記載されてきたが、当業者には発明の精神と範囲から逸脱することなく形態及び詳細において変更がなされることは認識できるであろう。特に、発明の形態によっては自立した装置の形で記載されるものでも、回路は集積回路（ＩＣ）の形において実施されるように好適に減少されることが認識される。それゆえ、「装置」等の用語は、装置単体と同様に機能的部品として便宜的に記述されるＩＣの部分を含むようにそれらの最も広い文脈として解釈されるべきものである。同様に、発明の形態によっては、装置単体によっても実現され得るものでも論理ゲート及びチップの観点で記述されるが、それらは全て本発明の範囲及び精神に含まれるものである。
【図面の簡単な説明】
【００３４】
【図１】図１は媒体に情報を磁気的に記録するための書き込みヘッドによって作られたライトバブルを示す図である。
【図２】図２は、ライトバブルの拡張速度の変化が磁化転移の位置に影響を与え、連続する転移が書き込まれる時に尚早にライトバブルの縮小が起こることを示すグラフである。
【図３】図３は本発明の代表的実施例による前置補償システムにおける書き込みヘッドセルの使用電圧の選択的変調のための書き込み制御回路のブロック図である。
【図４】図４は、例示的ＮＲＺＩデータパターン、及び書き込みドライバに供給する制御電圧値であって書き込み電流波形を変調して転移の非線形性を補償するために選択される電圧値を示すグラフである。
【図５】図５は、図４に用いられる代表的ＮＲＺＩデータパターンにおける特定の転移制御電圧に対して制御電圧を変化させるシミュレーションを示し、制御電圧の変化が書き込み電流波形上に及ぼす効果を示すグラフである。
【図６】図６は、図４に用いられる代表的ＮＲＺＩデータパターンにおける特定の転移制御電圧に対して制御電圧を変化させるシミュレーションを示し、制御電圧の変化が書き込み電流波形上に及ぼす効果を示すグラフである。
【図７】図７は、図４に用いられる代表的ＮＲＺＩデータパターンにおける特定の転移制御電圧に対して制御電圧を変化させるシミュレーションを示し、制御電圧の変化が書き込み電流波形上に及ぼす効果を示すグラフである。
【図８】図８は、図４に用いられる代表的ＮＲＺＩデータパターンにおける特定の転移制御電圧に対して制御電圧を変化させるシミュレーションを示し、制御電圧の変化が書き込み電流波形上に及ぼす効果を示すグラフである。
【符号の説明】
【００３５】
１０  書き込みヘッド
１２  ディスク
１３  書き込みドライバ
１４、２４  ライトバブル
１６ａ、１６ｂ、２６ａ、２６ｂ  横軸エッジ
２８、３０、３２、３４  位置
５０  書き込み制御回路
６０  電圧制御部
【図１】
2005522808.tif 000004
【図２】
2005522808.tif 000005
【図３】
2005522808.tif 000006
【図４】
2005522808.tif 000007
【図５】
2005522808.tif 000008
【図６】
2005522808.tif 000009
【図７】
2005522808.tif 000010
【図８】
2005522808.tif 000011
【国際調査報告】
2005522808.tif 000012